(57)【要約】【課題】簡単な構成により、低コストで熱陰極蛍光ランプ用のフィラメント電極を製造することができると共に、リード線との接続性が向上した蛍光ランプを得ることができるようにする。【解決手段】複数フィラメントの放電電極を製造する際に、最初にモリブデン線にタングステン線を所定数巻き付けてい第１次コイル体を得る。次いでこの第１次コイル体を他のモリブデン線に巻きつけて第２次コイル体を得る。フィラメントのコイル足部にて第１次コイル体のモリブデン線を、第１次コイル体のタングステン線と共に溶解してコイル足合金部を得る。このコイル足合金部とリード線を接続する、これによりリード線との接続はモリブデンを含む合金部を介して接続されることとなり、結晶化に起因する脆さが低減される。【選択図】図２
2010186597.tif 000002
【特許請求の範囲】
【請求項１】
一対のニッケルもしくはニッケル合金からなるリード線と、
一対のリード線の先端部に両端部が接続したフィラメントを有し、
前記フィラメントは多重巻きのフィラメントであり、
前記フィラメントとリード線との接続部は、モリブデンを含む合金を介して溶接されていることを特徴とする蛍光ランプ用フィラメント電極。
【請求項２】
円筒状ガラス管と、
前記ガラス管の端部に封止された蛍光ランプ用フィラメント電極とを有し、
前記電極は、一対のニッケルもしくはニッケル合金からなるリード線と、当該リード線の先端部に両端部が接続したフィラメントを有し、
前記フィラメントは多重巻きのフィラメントであり、
前記フィラメントとリード線との接続部は、モリブデンを含む合金を介して溶接されており、
前記リード線および接続部から延びるフィラメント脚部は、前記ガラス管と平行方向に設けられていることを特徴とする蛍光ランプ。
【請求項３】
請求項１に記載の蛍光ランプ用フィラメント電極の製造方法であって、
前記フィラメントは、モリブデン線と、タングステン線を用意し、巻きまわして第１次コイル体を作る工程と、次いで第１次コイル体を他のモリブデン線に巻いて第２次コイル体を作る工程を有し、
第２次コイル体を製造した後に、フィラメント端部のコイル足とする部分を第１次コイル体のモリブデンを含んで溶解して合金とするコイル足合金化工程と、
コイル足合金化工程の後に、当該合金部分と前記リード線との溶接を行い、モリブデンを含むリード線との溶接部を形成する工程と、を含み、
上記第１次コイル体のモリブデン線は、前記第１次合金化工程を実施した後に、エッチング液にて溶解除去する工程を備える、ことを特徴とする蛍光ランプ用フィラメント電極の製造方法。
【発明の詳細な説明】
【技術分野】
【０００１】
この発明は、フィラメントコイルからなる蛍光ランプ用の電極およびこれを用いた蛍光ランプに関するものである。
【背景技術】
【０００２】
近年、液晶表示装置用のバックライトとして蛍光ランプが使用されている。例えば対角２０インチクラスの液晶表示装置においては、エッジライト型バックライトが用いられ、導光板の端面に細径の冷陰極蛍光ランプを設けている。対角３０インチクラス以上の大型液晶テレビ用バックライトでは、直下型バックライトが用いられ、複数本の冷陰極蛍光ランプが設けられている。また、一般に冷陰極蛍光ランプは薄型バックライトに適しているものの、１本あたりの光量が熱陰極蛍光ランプに比べて劣るため、熱陰極蛍光ランプを用いてバックライトに使用する蛍光ランプ数を低減したバックライトも開発されている。
【０００３】
一般に蛍光ランプには上記した熱陰極タイプのものと冷陰極タイプの２種類がある。熱陰極タイプのものは、陰極を過熱して熱電子を放出させる構成を有する。それ故、一般的に発光効率は高いが寿命が短い。一方、冷陰極タイプのものは、寿命は長いものの発光効率が相対的に低い。このような蛍光ランプの電極として、フィラメントコイルを用いるものも知られている（例えば、特許文献１参照）。
【０００４】
図８は、特許文献１の電極構造を示す概略斜視図である。特許文献１の電極構造では、二本の平行に配置されたリード線９１の夫々にフィラメントコイル９２から伸びたコイル足９３の各々をパイプ連結部９４を介して電気的な接続と固定を行っている。パイプ連結部９４は円筒状の導電性金属材料からなり、一方の端部側はコイル足９３をカシメ固定し、他方の端部側はリード線９１をカシメ固定する。これにより、管径が細くてもフィラメントコイルとリード線とが確実に接続され、熱的に遮断され得るようにした電極構造が提供される。
【先行技術文献】
【特許文献】
【０００５】
【特許文献１】特開２００８−１６６０７４号公報
【発明の概要】
【発明が解決しようとする課題】
【０００６】
しかしながら、特許文献１に開示された電極構造の場合、フィラメントコイル９２にダブルフィラメントなどの多重巻きフィラメントを用いると、電極部の製造時、特にパイプ連結部とのカシメ時に小径のパイプ内径に挿入しにくいという問題があった。
さらに、挿入し易くするためにパイプ連結部９４として大径のものを用いると、蛍光ランプの管径を思ったように細くすることができない、という新たな問題もある。
【０００７】
また、上記問題が生じないようにコイル足９３とリード線９１とを互いに溶接により接続することができる。しかしながら、単に溶接により接続したのでは、点灯により、溶接接続部にて、フィラメントコイルを構成するタングステンが再結晶を生ずることによって、脆くなってしまう、という問題がある。
【０００８】
本発明は、以上の点から、管径が細くても、フィラメントとリード線が確実に接続された蛍光ランプ用フィラメント電極および蛍光ランプを提供することを目的としている。
また、他の目的としてフィラメントとリード線が確実に接続された蛍光ランプ用フィラメント電極を簡易な方法にて製造することを目的とする。
【課題を解決するための手段】
【０００９】
上記目的は、次の実施の態様により、達成される。
請求項１に係る発明は、一対のニッケルもしくはニッケル合金からなるリード線（１４）と、一対のリード線の先端部に両端部が接続したフィラメント（１７）を有し、前記フィラメントは多重巻きのフィラメントであり、前記フィラメントとリード線との接続部は、モリブデンを含む合金を介して溶接されていることを特徴とする蛍光ランプ用フィラメント電極、である。
【００１０】
請求項２に係る発明は、円筒状ガラス管（１１）と、前記ガラス管の端部に封止された蛍光ランプ用フィラメント電極（１３）とを有し、前記電極は、一対のニッケルもしくはニッケル合金からなるリード線（１４）と、当該リード線の先端部（１４ａ）に両端部が接続したフィラメント（１７）を有し、前記フィラメントは多重巻きのフィラメントであり、前記フィラメントとリード線との接続部は、モリブデンを含む合金を介して溶接されており、前記リード線および接続部から延びるフィラメント脚部（２５ａ）は、前記ガラス管と平行方向に設けられていることを特徴とする蛍光ランプ、である。
【００１１】
請求項３に係る発明は、請求項１に記載の蛍光ランプ用フィラメント電極の製造方法であって、前記フィラメントは、モリブデン線と、タングステン線を用意し、巻きまわして第１次コイル体を作る工程と、次いで第１次コイル体を他のモリブデン線に巻いて第２次コイル体を作る工程を有し、第２次コイル体を製造した後に、フィラメント端部のコイル足とする部分を第１次コイル体のモリブデンを含んで溶解して合金とするコイル足合金化工程と、コイル足合金化工程の後に、当該合金部分と前記リード線との溶接を行い、モリブデンを含むリード線との溶接部を形成する工程と、を含み、上記第１次コイル体のモリブデン線は、前記第１次合金化工程を実施した後に、エッチング液にて溶解除去する工程を備える、ことを特徴とする蛍光ランプ用フィラメント電極の製造方法、である。
【００１２】
請求項１に係る発明によれば、モリブデンを含む合金部（１８）を介して接続されるので、脆くなりにくく、長寿命な電極を得ることができ得る。
【００１３】
請求項２に係る発明によれば、放電電極が熱せられた場合であってもリード線とフィラメントとの接続部が脆くなりにくく、長寿命な蛍光ランプを得ることができ得る。
請求項３に係る発明によれば、フィラメントとリード線が確実に接続された蛍光ランプ用フィラメント電極を簡易な方法にて製造することができ得る。
【発明の効果】
【００１４】
以上のように、本発明によれば、管径が細くても、フィラメントとリード線が確実に接続された蛍光ランプ用フィラメント電極および蛍光ランプが提供される。
また、フィラメントとリード線が確実に接続された蛍光ランプ用フィラメント電極を簡易な方法にて製造することができる。
【図面の簡単な説明】
【００１５】
【図１】図１は蛍光ランプ用の端部側を模式的に示す断面図である。
【図２】図２は放電電極部を模式的に示す側面図である。
【図３】図３は第１次コイル体の製造方法を模式的に示す側面図である。
【図４】図４は第２次コイル体の製造方法を模式的に示す側面図である。
【図５】図５は第２次コイル体を模式的に示す断面図である。
【図６】図６は熱陰極蛍光ランプを用いた面光源装置の全体構成を模式的に示す分解斜視図である。
【図７】図７は他の実施の形態の放電電極部を模式的に示す側面図である。
【図８】従来の熱陰極放電灯用の電極部を模式的に示す側面図である。
【発明を実施するための形態】
【００１６】
以下、この発明の好適な実施形態を図１〜図７を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
図１は蛍光ランプ用１０の端部側を模式的に示す断面図、図２は放電電極部１３を模式的に示す側面図である。また、図６は熱陰極蛍光ランプを用いた面光源装置の全体構成を模式的に示す分解斜視図である。面光源装置１は蛍光ランプ部２、ハウジング３、拡散板４、拡散シート５およびプリズムシート６から構成されている。
【００１８】
熱陰極蛍光ランプ１０は、円筒状のガラス管１１の両端が封止され、その内部に放電電極部１３が対向配置されている。一方の放電電極部１３側の熱陰極蛍光ランプ１３を図１に示している。ガラス管端部には放電電極部１３が設けられ、封止部１６を通ってそのリード線１４の一方が外部に露出している。符号１５にて示すものはリード線１４と封着するガラスビード１５で、ガラス管１１と溶着して封止する。ガラス管１１の内面には蛍光体層１２が形成されている。
なお、ガラスビード１５は図１に示した球状に限るものではなく、後述する図２のような円盤形状のボタンステムであっても良い。
【００１９】
ガラス管１１は、外径が６ｍｍの硬質ガラスからなる円筒形状であり、両端が開放した状態で、その内面に波長変換を行う蛍光体層１２を塗布形成する。ガラス管１１の両端には封止部１６が形成されガラス管１１内を気密に封止している。なお、後述する前記面光源装置１に取付ける際には、封止部１６に被せる図示しないキャップ部材や前記ハウジング３に設けた図示しない固定フックを介して反射面７と所定位置になるようにして取り付けを行う。
【００２０】
封止された内部空間１９には、水銀と、所定の封入圧とした不活性ガスとが封入されて成る。水銀は発光物質として発光に寄与する。紫外線を発し前記した蛍光体層を励起する。不活性ガスはアルゴンガスまたはアルゴンガスとクリプトンガスとの混合ガス、またはアルゴンとネオン、クリプトンもしくはキセノン等の他の不活性ガスを所定割合で混合したものを用いる。混合ガスの混合割合としてはアルゴンを５０％、他の不活性ガスを５０％とする。また、ガス圧は１３００Ｐａ程度の減圧とする。
【００２１】
放電電極部１３は、リード線１４に複数フィラメンからなるフィラメント１７を合金部１８にて接続・固定している。フィラメント１７としては、他にトリプルコイルのフィラメント、あるいはスティックコイルのフィラメントを用いることができる。
フィラメント１７の材質はタングステン、レニウムタングステン（Ｗ−Ｒｅ）もしくはドープドタングステンなどのタングステン系材料を用いる。また、電子放出特性を向上させるためにフィラメント１７の表面に電子放出物質を塗布することが好ましい。特にフィラメント１７の端部以外の巻いている箇所のフィラメント周囲にバリウム、ストロンチウム、カルシウムおよびジルコニウムからなる酸化物粉末等からなる電子放出物質を設けるのが好適である。
【００２２】
リード線１４は、フィラメント１７側の端部がニッケルもしくはニッケル合金、例えばコバールの線状部材を用いる。ガラス管１１とリード線１４の熱膨張係数の違いによる影響を低減するため、中間部１４ｃの箇所においてはガラス管１１と熱膨張係数の近い素材からなるもの、例えばジメット線とし、内部空間内にはスパッタされ難い高融点金属、外部に露出する接続側端部１４ｂ側には導電性に優れた材料、などの異種材料の継線でも良い。
【００２３】
本実施形態において、図１に示すように一対のリード線１４のガラス管内部に配置される側の端部１４ａの各々とフィラメント１７の両端部は、各々合金部１８を介して接続および固定がされている。
合金部１８は、モリブデンとフィラメント１７の材質およびリード線先端１４ａの材質の合金からなる。
【００２４】
合金部１８について、図４および図５に示す図面を用いて放電電極部１３の製造工程の順に説明を行う。
はじめに、図３に示すようにモリブデン線２１および該モリブデン線よりも細径のタングステン線２２を用意する。そして、図４に示すように、モリブデン線２１を芯線としてタングステン線２２を密に巻きつけて第１次コイル体２３を製造する。
【００２５】
続いて、第２次コイル体２５を製造する。図４に示すように同様の手順にて、第１次コイル体２３より太径もしくは同径のモリブデン線２４を用意し、当該モリブデン線２４を芯線として第１次コイル体２３を所定数これに巻きつける。その後、芯線としていたモリブデン線２４（点線にて示す）を抜き取る。なお、図４ではコイル足以外の部分については図面を簡略化するためコイル状に示すことを略して表示している。図５はモリブデン線２４を抜き取る前の状態における第２次コイル体２５の断面を模式的に示すものである。図６からモリブデン線２４を除去した状態が複数フィラメントタイプとなる。
【００２６】
従来の場合においては、この後に所定の混酸エッチング液に浸してモリブデン線２１のみをエッチング除去することで、タングステン線２２からなる複数フィラメントタイプのフィラメントを得ている。タングステン線２２は、タングステン単体およびタングステンに他の金属等を含むものなどフィラメント１７として用いる材料のものからなる。
【００２７】
それに対して、本実施の形態においては、以下に述べる合金化工程を実施する。
詳細には、上記エッチング工程を実施する前に、第２次コイル体２５のコイル足２５ａとなる部分を合金化するコイル足合金化工程と、リード線１４と合金化しているコイル足２５ａの合金化を図る溶接工程の２回の合金化工程を実施する。
【００２８】
最初の合金化工程であるコイル足合金化工程は、第２次コイル体２５を製造した後に行う。具体的には図６の断面状態の第２次コイル体２５をモリブデン線２４を芯線として所定の形状に巻き、第２次コイル体２５の芯線であったモリブデン線２４を抜き取る。次いで、コイル足２５ａを所定の方向に折り曲げて図２に示すフィラメント１７の形状とする。その後、図２に示すリード線１４の先端部と接続するコイル足２５ａの部分をレーザー等にて加熱溶解させて合金とする。コイル足２５ａの合金は第２次コイル体２５の材質であるモリブデン線２１とフィラメント１７の主要材質であるタングステンとの合金となる。
【００２９】
このコイル足合金化工程の後に、上記したエッチング工程を実施する。エッチング液としてモリブデンを溶解し、モリブデン合金を溶解しにくい混酸を用いてエッチングする。これにより第２次コイル体２５のモリブデン線２１がエッチング除去され、複数のフィラメントからなるフィラメント１７が得られる。複数フィラメントにおいては巻き線の断面形状が円形形状であるため相互に絡みやすい。そのため、コイル足合金化工程を実施していない場合には、端部であるコイル足２５ａでモリブデン線２２がほつれたりして絡まるため、その取り扱い作業性が良くないが、コイル足２５ａを合金化処理しているので、端部でのほつれがなくなり作業性が向上する。
【００３０】
次に、溶接工程を実施する。溶接工程はリード線１４と、合金化しているコイル足２５ａを密接させた状態で両者をスポット溶接などの手段で合金化を図る。このとき合金部１８は、第２次コイル体２５の材質であるモリブデン線２１とフィラメント１７の主要材質であるタングステンの合金に、リード線１４の先端部１４ａの主要材質であるニッケルとの合金化を図って溶接する。
【００３１】
コイル足合金化工程を経ずに、モリブデン合金を有しない第２次コイル体とリード線とを直接に溶接した場合には、コイルの材料であるタングステン（Ｗ）が再結晶を起こし易い。そのため、溶接した箇所が脆くなり、振動等で切れ易い。
しかし、上記したようにモリブデンを含む合金化したコイル足２５ａとリード線１４を溶接した場合には、溶接部分での合金化が滑らかに図られ、コイルの材料であるタングステン（Ｗ）が再結晶が生じにくく、溶接部１８が脆さが改善される。
【００３２】
なお、上記した２回の合金化工程のいずれの場合も、第２次コイル体２５の芯線であったモリブデン線２４を抜き取ることなく、モリブデン線２４も共に合金化しても良い。特に複数のフィラメントを用いた巻き線タイプにおいては巻き線の断面形状が円形形状であるため相互に絡みやすい。しかし、モリブデン線２４も同時に合金部１８とすることで、絡み難くなり作業性が大幅に向上する。また、合金部のモリブデン含有量が増加するのでタングステン（Ｗ）の再結晶に起因する溶接部の脆さも改善される。
【００３３】
次に上記した熱陰極蛍光ランプ１０を用いたバックライトについて説明する。
図６は熱陰極蛍光ランプ１０を用いた面光源装置１の全体構成を模式的に示す分解斜視図である。面光源装置１は蛍光ランプ部２、ハウジング３、拡散板４、拡散シート５およびプリズムシート６から構成されている。
【００３４】
蛍光ランプ部２は複数の熱陰極蛍光ランプ１０を平行に並設したものである。蛍光ランプ部２の背面には、各々の熱陰極蛍光ランプ１０毎に該蛍光ランプから下方および側方に向かって照射された光線を蛍光ランプ部２前面（図１における紙面上方向）に反射するための反射面７が設けられている。
【００３５】
蛍光ランプ部２の前面側（上方）には、各熱陰極蛍光ランプ１０からの直接光および反射面７で反射された反射光などの到達した光線を拡散する拡散板４および拡散シート５を順次配設した拡散面９が設けられている。拡散板４は乳白色アクリル樹脂板からなり蛍光ランプ部２を配設する空間を覆っている。拡散シート５は、内部に微小な無機拡散材料を分散した透明樹脂からなる。両者を異なる拡散特性を有するものとすることで、面光源装置１全体の均一性を向上させている。拡散板４と拡散シート５の複数を用いることなく、単一の拡散部材にて拡散面９とすることも可能である。
【００３６】
また、拡散シート５の上面側には、該拡散シート５からの拡散光の向かう方向を制御するプリズムシート６が配設されている。プリズムシート６は熱陰極蛍光ランプ１０の軸方向に垂直な面で切断した切断面の、拡散シート５に対向する面の反対側の面が、夫々９０°の頂角を有す複数の連続する三角形からなるプリズム形状を呈している。プリズムシート６は、拡散面９側から入射した拡散光を上方に集めて面光源装置１の正面輝度を高めるようにするものであり、該面光源装置を液晶表示装置の直下型バックライトとして用いる場合には、図示しない液晶表示装置の正面視認性を高めることができる。
【００３７】
蛍光ランプ部２の背面側には、各熱陰極蛍光ランプ１０から背面側および側方に向かった光を効率的に前面側に反射するように設計された反射面７が設けられている。反射面７は、各熱陰極蛍光ランプ１０の軸方向に沿って背面側を覆うように板状のハウジング３が配設され、ハウジング３の少なくとも蛍光ランプ部２に対向する側の面に反射面７が形成されている。ハウジング３は、樹脂もしくは金属材料からなり、反射面が所定の反射配光特性を有するように形成されている。図８においては、熱陰極蛍光ランプ１０の軸方向と直交する断面にて、各々の冷陰極蛍光ランプ１０が一方の焦点位置となり、他方の焦点位置を拡散面９より前面側で、接合部８の上方とした楕円系反射面を組合わせたものとしている。なお、符号８は冷陰極蛍光ランプ１０同士の中間部に対応する位置で各々に対応した反射面の接合部を示す。
【００３８】
熱陰極蛍光ランプ１０は、反射面７と拡散面９とで覆われた空間内に多数配設される。そこで、図１に示すようにコイル足２５ａをリード線１４と並行となる方向に折り曲げ、フィラメント中央部の下側にコイル足２５ａを出して熱陰極蛍光ランプ１０を細径にすることが好ましい。また、バックライトとして用いたときには、反射面７と拡散面９とで覆われた空間内にて連続点灯して使用されることが多い。この場合において、合金部１８を介して接続しているので、放電電極部１３が熱せられた状態においても脆くなりにくく、安定した接合状態を維持することができるものとなり、バックライト用の熱陰極蛍光ランプとして好適である。
【００３９】
＜＜第二の実施形態＞＞
図７は、他のフィラメント１７とリード線１４との他の接続状態を示すものである。この実施の形態においても、コイル足２５ａをリード線１４と並行となる方向に折り曲げ、フィラメント中央部の下側にコイル足２５ａを出して熱陰極蛍光ランプ１０を細径にすることができる。なお、電極部１３として、フィラメント１７の周囲に図示しない円筒状のスリーブを設けるものでも良い。スリーブを設けることでフィラメント１７の飛散が防止される。
【００４０】
このようにして、本発明によれば、簡単な構成により、また、製造方法も新たに必要となる部材を用いることなく製造できる。
なお、この発明は前述した実施形態に限られるものではない。例えば、前述した第１次コイル体２３を製造する際にモリブデン線２１のみを芯線とするのではなくモリブデン線２１とは別のタングステン線もモリブデン線２１と共に芯線として製造することで多重フィラメントタイプとする場合等も本発明に包含される。
【産業上の利用可能性】
【００４１】
本発明は、蛍光ランプ用フィラメント電極を用いた熱陰極蛍光ランプ、および熱陰極蛍光ランプを用いたバックライトなどの機器に適用することができ、従来よりも揺れに強く長寿命な熱陰極蛍光ランプを提供することができる。
【符号の説明】
【００４２】
１    面光源装置
２    蛍光ランプ部
３    ハウジング
４    拡散板
５    拡散シート
６    プリズムシート
７    反射面
８    接合部
９    拡散面
１０    熱陰極蛍光ランプ
１１    ガラス管
１２    蛍光体層
１３    放電電極部
１４    リード線
１５    ガラスビード
１６    封止部
１７    フィラメント
１８    合金部
１９    内部空間
２１、２４    モリブデン線
２２    タングステン線
２３    第１次コイル体
２５    第２次コイル体
【図１】
2010186597.tif 000003
【図２】
2010186597.tif 000004
【図３】
2010186597.tif 000005
【図４】
2010186597.tif 000006
【図５】
2010186597.tif 000007
【図６】
2010186597.tif 000008
【図７】
2010186597.tif 000009
【図８】
2010186597.tif 000010